(57)【特許請求の範囲】
【請求項１】
カバー体と、足載せ台と、エアバッグと、送排気装置とを有する足用マッサージ装置であって、該カバー体は、箱状の部材であって、使用者の足を収容するための足収容部と、使用者の足を挿し入れるための足挿入口とを備えており、該足載せ台は、足載せ板と、左右回動軸とを有しており、該足載せ板は、使用者が足裏を載せるための部材であり、板状の部材であって、少なくとも第一の足載せ板と第二の足載せ板とを有しており、該第一の足載せ板は使用者の足の爪先側に位置しており、該左右回動軸は、該第一の足載せ板を左右に揺動させるための軸部材であって、該第一の足載せ板が取り付いており、該エアバッグとして、甲部内方用エアバッグを備えており、該甲部内方用エアバッグは、使用者の足の甲部内方をマッサージするとともに下方に押圧して該第一の足載せ板を左右に揺動させるための部材であって、該足収容部における使用者の足の甲部の内方に臨む箇所に取り付けられており、該送排気装置は、該エアバッグへの送気を行ってこれを膨張させるとともに該エアバッグからの排気を行ってこれを収縮させるための装置であり、送排気管を通じて該エアバッグと連結されていることを特徴とする足用マッサージ装置。
【請求項２】
請求項１に記載した足用マッサージ装置であって、前記左右回動軸が前記足載せ板上に戴置する使用者の足裏の長手方向に対して傾斜するようにして設けられていることを特徴とする足用マッサージ装置。
【請求項３】
請求項１又は２に記載した足用マッサージ装置であって、前記エアバッグとして更に足裏用エアバッグを備えており、該足裏用エアバッグは、膨張することによって前記足載せ板の下面の左右いずれか一端を上方に押し上げることで前記第一の足載せ板を左右に揺動させるための部材であって、前記左右回動軸を挟んで該足載せ板の下部における左右いずれかに臨むように配置されていることを特徴とする足用マッサージ装置。
【請求項４】
請求項１から３までの何れかに記載した足用マッサージ装置であって、前記エアバッグとして更に甲部外方用エアバッグ及び／又は足首用エアバッグを備えており、該甲部外方用エアバッグは、使用者の足の甲部外方をマッサージするための部材であって、前記足収容部における使用者の足の甲部の外方に臨む箇所に取り付けられており、該足首用エアバッグは、使用者の足首をマッサージするための部材であって、該足収容部における使用者の足首に臨む箇所に取り付けられていることを特徴とする足用マッサージ装置。
【請求項５】
請求項１から４までの何れかに記載した足用マッサージ装置であって、前記足載せ台には前後回動軸を備えているとともに、前後揺動駆動機構を備えており、該前後回動軸は、前記足載せ板を前後に揺動させるための軸部材であって、該足載せ板と該前後揺動駆動機構とを連結しており、該前後揺動駆動機構は、該前後回動軸を駆動させることによって、該足載せ板を前後に揺動させるための駆動機構であることを特徴とする足用マッサージ装置。
【発明の詳細な説明】
【技術分野】
【０００１】
本発明は、足用マッサージ装置に関し、特に、使用者が該足用マッサージ装置内に設けられた足載せ板に足を戴置して、該足載せ板を揺動させることによって使用者の足をマッサージする足用マッサージ装置に関する。
【背景技術】
【０００２】
横中足靱帯は、人の家庭環境や生活環境によってはその成育時に十分に発達しない場合があり、また日頃足を鍛錬しておかないとその機能が低下してしまうとともに、着用する履物によっては過大な負荷がかかってその機能が低下してしまうことがある。このように横中足靱帯の機能が低下すると、足の疲労や外反母趾の原因になる。【０００３】
ここで、該足用マッサージ装置内に設けられた足載せ板を揺動することによって該足載せ板に戴置した使用者の足をマッサージする足用マッサージ装置には、例えば、使用者が足載せ板に足を載せ、その足指をベルトで可動板に固定して、駆動機構を作動させることにより、使用者の足首を前後に屈曲させながら該足指を足の甲側に曲げ延ばす運動を繰り返す足首・足指運動用健康器（例えば、特許文献１を参照。）、その後端側が回動可能に支持された足載せ板と、該足載せ板の裏面側に配置されたエアーバッグとを備えており、該エアーバッグが膨張及び収縮することによって該足載せ板がその後端側を支点として上下に揺動するマッサージ器（例えば、特許文献２を参照。）、その上面に揺動して前傾可能に軸支されている足載せ板が設けられている箱状の足載せ台と、該足載せ台の前方に突起物が設けられた足指マッサージ機（例えば、特許文献３を参照。）等が従来提案されている。【０００４】
また、該足用マッサージ装置内に挿入した使用者の足を膨張及び収縮するエアバッグに当接させることによって、足をマッサージしたりあるいは該足用マッサージ装置内に足を固定したりする足用マッサージ装置には、例えば、使用者の足を収容する足収容部内に収容された足の甲部に臨むエアバッグと、足の両側部に臨む側部エアバッグとを備え、該エアバッグにエアを供給するエア供給機構を設ける足裏マッサージ機（例えば、特許文献４を参照。）や、足収容部の内面に反復する吸排気によって膨張及び収縮するエアバッグを備えた足用按摩具等が従来提案されている（例えば、特許文献５を参照。）。
【先行技術文献】
【特許文献】
【０００５】
【特許文献１】特開２００２−１４３２６９号公報
【特許文献２】特開平０９−３１３５５６号公報
【特許文献３】特開２０１３−２１５４１７号公報
【特許文献４】特開２００７−１３６０１３号公報
【特許文献５】実開昭５７−１７６２８号公報
【発明の概要】
【発明が解決しようとする課題】
【０００６】
しかしながら、上記の従来技術に係る該足用マッサージ装置内に設けられた足載せ板を揺動することによって該足載せ板に戴置した使用者の足をマッサージする足用マッサージ装置は、足首を前後に曲げながら足指を足の甲側に曲げ延ばして、土踏まずの箇所を刺激することで健康の増進に貢献しようとするもの（例えば、特許文献１を参照。）、足のアキレス腱などのストレッチ動作を行おうとするもの（例えば、特許文献２を参照。）、足指の付け根に作用して足指の整体をしようとするもの（例えば、特許文献３を参照。）であって、横中足靱帯の機能を増強ないし回復させようとするものではなかった。【０００７】
そこで、本発明の第一の課題は、該足用マッサージ装置内に設けられた足載せ板を揺動することによって該足載せ板に戴置した使用者の足をマッサージする足用マッサージ装置につき、横中足靱帯の機能を増強ないし回復させることができる足用マッサージ装置を提供することにある。【０００８】
また、足用マッサージ装置が横中足靱帯について使用者の足の両側面から曲げ伸ばし等のマッサージを行うと、使用者が足に痛みを感じることが多くあるという問題があった。【０００９】
そこで、本発明の第二の課題は、該足用マッサージ装置内に設けられた足載せ板を揺動することによって該足載せ板に戴置した使用者の足をマッサージして、横中足靱帯の機能を増強ないし回復させることができる足用マッサージ装置につき、使用者が足に感じる痛みを軽減することができる足用マッサージ装置を提供することにある。【００１０】
また、上記の従来技術に係る該足用マッサージ装置内に設けられた足載せ板を揺動して該足載せ板に戴置した使用者の足をマッサージする足用マッサージ装置は、単一的な動作を行うのみであるから、使用者の足に対するマッサージの効果も限定的であるという問題があった。【００１１】
そこで、本発明の第三の課題は、該足用マッサージ装置内に設けられた足載せ板を揺動することによって該足載せ板に戴置した使用者の足をマッサージして、横中足靱帯の機能を増強ないし回復させることができる足用マッサージ装置につき、使用者の足に多様な刺激を与えることができるようにして、使用者の足に対するマッサージの効果を高めた足用マッサージ装置を提供することにある。
【課題を解決するための手段】
【００１２】
本発明は、上記の各課題を解決するために提案されたものであり、以下の構成を有するものである。以下では、本発明の構成を理解することを補助するために、本願に添付した図面に表示した番号及び符号をあわせて記載する。【００１３】
請求項１に係る足用マッサージ装置（１）は、カバー体（２）と、足載せ台（３）と、エアバッグ（４）と、送排気装置（５）とを有する。カバー体（２）は、箱状の部材であって、使用者の足（Ｆ）を収容するための足収容部（２ａ）と、使用者の足（Ｆ）を挿し入れるための足挿入口（２ｂ）とを備えている。足載せ台（３）は、足載せ板（３ａ）と、左右回動軸（３ｂ）とを有する。足載せ板（３ａ）は、使用者が足裏を載せるための部材であり、板状の部材であって、少なくとも第一の足載せ板（３ａ１）と第二の足載せ板（３ａ２）とを有している。また、第一の足載せ板（３ａ１）は、使用者の足の爪先側に位置している。左右回動軸（３ｂ）は、第一の足載せ板（３ａ１）を左右に揺動させるための軸部材であって、第一の足載せ板（３ａ１）が取り付いている。エアバッグ（４）として、甲部内方用エアバッグ（４１）を備えており、甲部内方用エアバッグ（４１）は、使用者の足（Ｆ）の甲部内方をマッサージするとともに下方に押圧して第一の足載せ板（３ａ１）を左右に揺動させるための部材であって、足収容部（２ａ）における使用者の足（Ｆ）の甲部の内方に臨む箇所に取り付けられている。送排気装置（５）は、エアバッグ（４）への送気を行ってこれを膨張させるとともにエアバッグ（４）からの排気を行ってこれを収縮させるための装置であり、送排気管を通じてエアバッグ（４）と連結されている。
【００１４】
請求項２に係る足用マッサージ装置（１）は、請求項１に記載した足用マッサージ装置であって、左右回動軸（３ｂ）が足載せ板（３ａ）上に戴置する使用者の足裏の長手方向に対して傾斜するようにして設けられている。
【００１５】
請求項３に係る足用マッサージ装置（１）は、請求項１又は２に記載した足用マッサージ装置であって、エアバッグ（４）として更に足裏用エアバッグ（４２）を備えており、足裏用エアバッグ（４２）は、膨張することによって足載せ板（３ａ）の下面の左右いずれか一端を上方に押し上げることで第一の足載せ板（３ａ１）を左右に揺動させるための部材であって、左右回動軸（３ｂ）を挟んで足載せ板（３ａ）の下部における左右いずれかに臨むように配置されている。
【００１６】
請求項４に係る足用マッサージ装置（１）は、請求項１から３までの何れかに記載した足用マッサージ装置であって、エアバッグ（４）として更に甲部外方用エアバッグ（４３）及び／又は足首用エアバッグ（４４）を備えており、甲部外方用エアバッグ（４３）は、使用者の足（Ｆ）の甲部外方をマッサージするための部材であって、足収容部（２ａ）における使用者の足（Ｆ）の甲部の外方に臨む箇所に取り付けられており、足首用エアバッグ（４４）は、使用者の足首をマッサージするための部材であって、足収容部（２ａ）における使用者の足首に臨む箇所に取り付けられている。【００１７】
請求項５に係る足用マッサージ装置（１）は、請求項１から４までの何れかに記載した足用マッサージ装置であって、足載せ台（３）には前後回動軸（３ｃ）を備えているとともに、前後揺動駆動機構（６）を備えている。前後回動軸（３ｃ）は、足載せ板（３ａ）を前後に揺動させるための軸部材であって、足載せ板（３ａ）と前後揺動駆動機構（６）とを連結している。前後揺動駆動機構（６）は、前後回動軸（３ｃ）を駆動させることによって、足載せ板（３ａ）を前後に揺動させるための駆動機構である。
【発明の効果】
【００１８】
本発明に係る足用マッサージ装置は、上記の通りの構成であるから、以下のような効果を得ることができる。【００１９】
請求項１に記載した足用マッサージ装置（１）は、まず、送排気装置（５）が甲部内方用エアバッグ（４１）への送気を行ってこれを膨張させることによって、使用者の足（Ｆ）の甲部内方をマッサージするとともに下方へと押圧する。そうすると、第一の足載せ板（３ａ１）は、左右回動軸（３ｂ）を中心軸として回動し、甲部内方側へと傾斜する。
【００２０】
請求項１に記載した足用マッサージ装置（１）は、次に、送排気装置（５）が甲部内方用エアバッグ（４１）からの排気を行ってこれを収縮させる。そうすると、第一の足載せ板（３ａ１）は、左右回動軸（３ｂ）を中心軸として回動し、元の位置に復帰する。
【００２１】
従って、請求項１に記載した足用マッサージ装置（１）は、上記のような動作を繰り返すことによって、第一の足載せ板（３ａ１）を左右に揺動させ、足載せ台（３）が使用者の足（Ｆ）の横中足靱帯を刺激することができる。
【００２２】
そうすると、請求項１に記載した足用マッサージ装置（１）は、該足用マッサージ装置内に設けられた足載せ板を揺動することによって該足載せ板に戴置した使用者の足（Ｆ）をマッサージする足用マッサージ装置につき、横中足靱帯の機能を増強ないし回復させることができる足用マッサージ装置を提供するという本発明の第一の課題を解決することができる。【００２３】
また、請求項１に記載した足用マッサージ装置（１）は、上記の通り、横中足靱帯について使用者の足の片側面から曲げ伸ばしを行うものであるから、使用者が足に痛みを感じることが軽減されている。【００２４】
従って、請求項１に記載した足用マッサージ装置（１）は、該足用マッサージ装置内に設けられた足載せ板を揺動することによって該足載せ板に戴置した使用者の足をマッサージして、横中足靱帯の機能を増強ないし回復させることができる足用マッサージ装置につき、使用者が足に感じる痛みを軽減することができる足用マッサージ装置を提供するという本発明の第二の課題を解決することができる。【００２５】
次に、請求項２に記載した足用マッサージ装置（１）は、上記の通り、左右回動軸（３ｂ）が足載せ板（３ａ）上に戴置する使用者の足裏の長手方向に対して傾斜するようにして設けられているため、第一の足載せ板（３ａ１）が左右に揺動すると、使用者の足裏がねじれるように動くことから、足載せ台（３）が使用者の足の横中足靱帯を更に好適に刺激することになる。そうすると、請求項２に記載した足用マッサージ装置（１）によれば、上記の本発明の第一の課題及び第二の課題を解決するのに一層好適である。
【００２６】
また、請求項３に記載した足用マッサージ装置（１）は、まず、送排気装置（５）が足裏用エアバッグ（４２）への送気を行ってこれを膨張させることによって、足載せ板（３ａ）の左右いずれか一端を上方へと押し上げる。そうすると、第一の足載せ板（３ａ１）は、左右回動軸（３ｂ）を中心軸として回動し、使用者の足（Ｆ）の甲部内方側に傾斜する。
【００２７】
請求項３に記載した足用マッサージ装置（１）は、送排気装置（５）が足裏用エアバッグ（４２）からの排気を行ってこれを収縮させる。そうすると、第一の足載せ板（３ａ１）は、左右回動軸（３ｂ）を中心軸として回動し、元の位置に復帰する。
【００２８】
使用者の足には、様々な大きさないし重量があるところ、請求項３に記載した足用マッサージ装置（１）によれば、足裏用エアバッグ（４２）が備えられていることによって、第一の足載せ板（３ａ１）を左右に揺動させ、足載せ台（３）が使用者の足の横中足靱帯を刺激することを確実にすることができるため、上記の本発明の第一の課題及び第二の課題を解決するのに一層好適である。
【００２９】
そして、請求項４に係る足用マッサージ装置（１）は、甲部外方用エアバッグ（４３）が送排気装置（５）によって送気されて膨張するとともに送排気装置（５）によって排気されて収縮することで使用者の足（Ｆ）の甲部外方に対するマッサージを行うとともに、足首用エアバッグ（４４）が送排気装置（５）によって送気されて膨張するとともに送排気装置（５）によって排気されて収縮することで使用者の足首に対するマッサージを行う。【００３０】
更に、請求項５に係る足用マッサージ装置（１）は、前後揺動駆動機構（６）が前後回動軸（３ｃ）を駆動させることによって足載せ板（３ａ）が前後に揺動して使用者の足首を運動させる。【００３１】
従って、請求項４及び５に係る足用マッサージ装置（１）は、該足用マッサージ装置内に設けられた足載せ板を揺動することによって該足載せ板に戴置した使用者の足をマッサージして、横中足靱帯の機能を増強ないし回復させることができる足用マッサージ装置につき、使用者の足に多様な刺激を与えることができるようにして、使用者の足に対するマッサージの効果を高めた足用マッサージ装置を提供するという本発明の第三の課題を解決することができる。
【図面の簡単な説明】
【００３２】
【図１】本発明の一実施形態に係る足用マッサージ装置を示した平面図である。
【図２】本発明の一実施形態に係る足用マッサージ装置を示した一部断面図である。
【図３】本発明の一実施形態に係る足用マッサージ装置を示した一部断面図である。
【図４】本発明の一実施形態に係る足用マッサージ装置における足載せ板を示した斜視図である。
【図５】本発明の一実施形態に係る足用マッサージ装置における足載せ板を示した斜視図である。
【図６】本発明の一実施形態に係る足用マッサージ装置を示した断面図である。
【図７】本発明の一実施形態に係る足用マッサージ装置を示した断面図である。
【図８】本発明の一実施形態に係る足用マッサージ装置における足載せ板を示した斜視図である。
【図９】本発明の一実施形態に係る足用マッサージ装置を示した断面図である。
【図１０】本発明の一実施形態に係る足用マッサージ装置を示した断面図である。
【図１１】本発明の一実施形態に係る足用マッサージ装置における足載せ板を示した斜視図である。
【図１２】本発明の一実施形態に係る足用マッサージ装置を示した断面図である。
【図１３】本発明の一実施形態に係る足用マッサージ装置を示した断面図である。
【図１４】本発明の一実施形態に係る足用マッサージ装置における足載せ板を示した斜視図である。
【図１５】本発明の一実施形態に係る足用マッサージ装置を示した断面図である。
【図１６】本発明の一実施形態に係る足用マッサージ装置を示した断面図である。
【図１７】本発明の一実施形態に係る足用マッサージ装置を示した断面図である。
【図１８】本発明の一実施形態に係る足用マッサージ装置を示した断面図である。
【図１９】本発明の一実施形態に係る足用マッサージ装置を示した一部断面図である。
【発明を実施するための形態】
【００３３】
以下、本発明の一実施形態に係る足用マッサージ装置の構造及びその使用態様について添付図面に基づいて説明する。
【００３４】
本発明に係る足用マッサージ装置（１）は、図示するように、カバー体（２）と、足載せ台（３）と、エアバッグ（４）と、送排気装置（５）と、前後揺動駆動機構（６）と、基台（７）とからなる。足用マッサージ装置（１）は、足用マッサージ装置（１）が人の両足のマッサージを目的とする場合には、図１に図示するように、片足用に一台ずつ設ければよい。もとより、足用マッサージ装置（１）が人の片足のマッサージを目的とする場合には、足用マッサージ装置（１）を一台のみ設けてもよい。
【００３５】
基台（７）は、図示するように、足用マッサージ装置（１）を構成する各種の部材を収納するための箱状の部材である。基台（７）は、金属、木材、プラスチック等によって形成されるが、使用者の足（Ｆ）の重量に耐えることができる強固な材料であれば、特に限定されるものではない。
【００３６】
カバー体（２）は、図２及び３に図示するように、箱状の部材であって、使用者の足を収容するための足収容部（２ａ）と、使用者の足を足収容部（２ａ）へと挿し入れるための足挿入口（２ｂ）とを備えている。カバー体（２）は、図示するように、靴型に形成すると、使用者の足の形状に適合して好適である。足収容部（２ａ）は、図示するように、少なくとも使用者の足（Ｆ）の爪先から足首までを収容できる大きさを有しており、足挿入口（２ｂ）は使用者の足（Ｆ）を足収容部（２ａ）内に案内することができる程度の大きさを有している。
【００３７】
足載せ台（３）は、図示するように、足載せ板（３ａ）と、左右回動軸（３ｂ）と、前後回動軸（３ｃ）とからなる。
【００３８】
足載せ板（３ａ）は、使用者が足裏を載せるための部材であり、板状の部材であって、少なくとも第一の足載せ板（３ａ１）と第二の足載せ板（３ａ２）とを有している。また、第一の足載せ板（３ａ１）は使用者の足の爪先側に位置している。足載せ板（３ａ）は、例えば、図４に図示するように、平面視Ｌ字形の板状の部材である第一の足載せ板（３ａ１）と第二の足載せ板（３ａ２）とを嵌め合わせるように連結して形成することができ、あるいは、図５に図示するようにお互いに向き合う側に傾斜を設けた第一の足載せ板（３ａ１）と第二の足載せ板（３ａ２）とを嵌め合わせるように連結して形成することもできる。図では、足載せ板（３ａ）は、その全体的な形状が平面視長方形であるが、使用者が足裏を載せることができれば、特にその形状は限定されない。また、足載せ板（３ａ）の上面には、図示するように、単数もしくは複数の突起（３ｅ）を設けて、使用者の足裏を刺激するようにしてもよい。
【００３９】
左右回動軸（３ｂ）は、第一の足載せ板（３ａ１）を左右に揺動させるための軸部材であって、足載せ板（３ａ）が取り付いている。左右回動軸（３ｂ）は、図４では足載せ板（３ａ）の長手方向に並行して設けられているが、図５に図示するように、足載せ板（３ａ）上に戴置する使用者の足裏の長手方向に対して傾斜するようにして設けてもよい。左右回動軸（３ｂ）を足載せ板（３ａ）上に戴置する使用者の足裏の長手方向に対して傾斜するようにして設けることにより、第一の足載せ板（３ａ１）が左右に揺動すると、使用者の足裏がねじれるように動くため、足載せ台（３）が使用者の足の横中足靱帯を更に好適に刺激することができる。
【００４０】
前後回動軸（３ｃ）は、足載せ板（３ａ）を前後に揺動させるための軸部材であって、足載せ板（３ａ）と前後揺動駆動機構（６）とを連結している。
【００４１】
エアバッグ（４）は、図示するように、甲部内方用エアバッグ（４１）と、足裏用エアバッグ（４２）と、甲部外方用エアバッグ（４３）と、足首用エアバッグ（４４）とからなる。足裏用エアバッグ（４２）と、甲部外方用エアバッグ（４３）と、足首用エアバッグ（４４）とは、その必要に応じて取り付ければ十分である。エアバッグ（４）には、送気による膨張と排気による収縮を反復して行うことのできる布等の可撓性のある素材で形成された袋状の公知のエアバッグを用いることができ、その必要に応じて蛇腹式のエアバッグ等を用いることも可能である。
【００４２】
送排気装置（５）は、エアバッグ（４）への送気を行って膨張させるとともにエアバッグ（４）からの排気を行って収縮させるための装置であり、送排気管を通じてエアバッグ（４）と連結されている。送排気装置（５）には、電動式のエアポンプや電動式のエアコンプレッサー等の公知の送排気装置を用いることができる。
【００４３】
甲部内方用エアバッグ（４１）は、使用者の足（Ｆ）の甲部内方をマッサージするとともに下方へと押圧して第一の足載せ板（３ａ１）を左右に揺動させるための部材であって、図６に図示するように、足収容部（２ａ）における使用者の足（Ｆ）の甲部の内方に臨む箇所に取り付けられている。
【００４４】
そうすると、まず、図７に図示するように、送排気装置（５）が甲部内方用エアバッグ（４１）への送気を行ってこれを膨張させることによって、使用者の足（Ｆ）の甲部内方をマッサージするとともに下方へと押圧する。そうすると、第一の足載せ板（３ａ１）は、左右回動軸（３ｂ）を中心軸として回動し、使用者の足（Ｆ）の甲部内方側へと傾斜することになる。
【００４５】
次に、送排気装置（５）が甲部内方用エアバッグ（４１）からの排気を行ってこれを収縮させる。そうすると、図６に図示するように、第一の足載せ板（３ａ１）は、左右回動軸（３ｂ）を中心軸として回動し、元の位置に復帰することになる。
【００４６】
足用マッサージ装置（１）は、上記のような動作を反復することによって、第一の足載せ板（３ａ１）を左右に揺動させ、足載せ台（３）が使用者の足の横中足靱帯を刺激することができるのである。
【００４７】
エアバッグ（４）として更に足裏用エアバッグ（４２）を備えてもよい。足裏用エアバッグ（４２）は、膨張することによって足載せ板（３ａ）の下面の左右いずれか一端を上方に押し上げることで第一の足載せ板（３ａ１）を左右に揺動させるための部材であって、左右回動軸（３ｂ）を挟んで足載せ板（３ａ）の下部における左右いずれかに臨むように配置されている。
【００４８】
ここで、足裏用エアバッグ（４２）の配置には、様々な配置が考えられる。まず、図８から図１０までに図示するように、左右回動軸（３ｂ）を介して平面視Ｌ字形の平板状の第一の足載せ板（３ａ１）の下部における使用者の足の外方側に左右回動軸（３ｂ）側に側壁を設けた平板状のエアバッグ戴置板（３ｄ）を連結し、第一の足載せ板（３ａ１）の下面とエアバッグ戴置板（３ｄ）の上面との間隙に足裏用エアバッグ（４２）を挟み込んでエアバッグ戴置板（３ｄ）上に取り付けることができる。
【００４９】
また、図１１から図１３までに図示するように、左右回動軸（３ｂ）を介して平面視長方形の平板状の第一の足載せ板（３ａ１）と第一の足載せ板（３ａ１）に臨む箇所に凹部を設けた第二の足載せ板（３ａ２）とを連結し、第一の足載せ板（３ａ１）の下面と第二の足載せ板（３ａ２）の上面との間隙に足裏用エアバッグ（４２）を挟み込んで第二の足載せ板（３ａ２）上に取り付けることもできる。
【００５０】
あるいは、図１４から図１６までに図示するように、左右回動軸（３ｂ）を介して使用者の足の内方側に凹部を設けた第一の足載せ板（３ａ１）と平面視Ｌ字形の平板状の第二の足載せ板（３ａ２）とを連結し、第一の足載せ板（３ａ１）の上面と第二の足載せ板（３ａ２）の下面との間隙に足裏用エアバッグ（４２）を挟み込んで第一の足載せ板（３ａ１）上に取り付けることも可能である。この場合には、足裏用エアバッグ（４２）を取り付ける面積を比較的広くとることができるため、比較的大型の足裏用エアバッグ（４２）を用いることができ、好適である。
【００５１】
そして、図１７及び図１８に図示するように、基台（７）における足載せ台（３）の前部が臨む箇所に足裏用エアバッグ（４２）を取り付けることもできる。この場合、足裏用エアバッグ（４２）は、傾斜台（７ａ）を介して基台（７）に取り付けることによって、前後揺動駆動機構（６）によって足載せ板（３ａ）を前方に傾けた際に、第一の足載せ板（３ａ１）を左右に揺動させるように構成することができる。
【００５２】
上記のような足裏用エアバッグ（４２）は、まず、送排気装置（５）によって送気されて膨張し、足載せ板（３ａ）の左右いずれか一端を上方へと押し上げる。そうすると、第一の足載せ板（３ａ１）は、左右回動軸（３ｂ）を中心軸として回動し、甲部内方側に傾斜する。
【００５３】
足裏用エアバッグ（４２）は、次に、送排気装置（５）によって排気されて収縮する。そうすると、第一の足載せ板（３ａ１）は、左右回動軸（３ｂ）を中心軸として回動し、元の位置に復帰する。
【００５４】
使用者の足には、様々な大きさないし重量があるところ、上記のように甲部内方用エアバッグ（４１）に加えて足裏用エアバッグ（４２）が備えられていることによって、第一の足載せ板（３ａ１）を左右に揺動させ、足載せ台（３）が使用者の足の横中足靱帯を刺激することを確実にすることができるため、一層好適である。
【００５５】
甲部外方用エアバッグ（４３）は、図１９に図示するように、足収容部（２ａ）における使用者の足の甲部の外方に臨む箇所に取り付けられており、送排気管によって連結されている送排気装置（５）によって送気されて膨張するとともに送排気装置（５）によって排気されて収縮することで、使用者の足の甲部外方に対するマッサージを行う。
【００５６】
足首用エアバッグ（４４）は、図１９に図示するように、足収容部（２ａ）における使用者の足首に臨む箇所に取り付けられており、送排気管によって連結されている送排気装置（５）によって送気されて膨張するとともに送排気装置（５）によって排気されて収縮することで、使用者の足首に対するマッサージを行う。
【００５７】
前後揺動駆動機構（６）は、図示するように、前後回動軸（３ｃ）を駆動させることによって、足載せ板（３ａ）を前後に揺動させるための駆動機構である。前後揺動駆動機構（６）は、駆動体（６ａ）と、回転軸（６ｂ）と、回転板（６ｃ）とからなる。駆動体（６ａ）には、電気モーター等の公知の駆動体を用いることができる。回転軸（６ｂ）は、駆動体（６ａ）と回転板（６ｃ）とを連結する軸部材であって、駆動体（６ａ）によって生じた駆動力を回転板（６ｃ）に伝えるための部材である。回転板（６ｃ）は、平板状の部材であって、円形部（６ｃ１）とその円周面上に盛り上がった膨出部（６ｃ２）とからなる。円形部（６ｃ１）には、回動軸（６ｂ）が取り付けられており、膨出部（６ｃ２）の先端部には前後回動軸（３ｃ）の一端が取り付けられている。
【００５８】
駆動体（６ａ）を駆動させると、その駆動力は回転軸（６ｂ）を介して回転板（６ｃ）へと伝わり、回転板（６ｃ）を回転させる。そうすると、膨出部（６ｃ２）の先端部に前後回動軸（３ｃ）の一端が取り付けられているため、足載せ板（３ａ）が前後に揺動し、使用者の足首を運動させることができるのである。
【符号の説明】
【００５９】
１  足用マッサージ装置
２  カバー体
２ａ  足収容部
２ｂ  足挿入口
３  足載せ台
３ａ  足載せ板
３ａ１  第一の足載せ板
３ａ２  第二の足載せ板
３ｂ  左右回動軸
３ｃ  前後回動軸
３ｄ  エアバッグ戴置板
３ｅ  突起
４  エアバッグ
４１  甲部内方用エアバッグ
４２  足裏用エアバッグ
４３  甲部外方用エアバッグ
４４  足首用エアバッグ
５  送排気装置
６  前後揺動駆動機構
６ａ  駆動体
６ｂ  回転軸
６ｃ  回転板
６ｃ１  円形部
６ｃ２  膨出部
７  基台
７ａ  傾斜台
Ｆ  足
【要約】
【課題】  横中足靱帯の機能を増強ないし回復させることができるとももに、使用者が足に感じる痛みを軽減することができ、かつ、使用者の足に多様な刺激を与えることができるようにして使用者の足に対するマッサージの効果を高めた足用マッサージ装置を提供する。
【解決手段】  足用マッサージ装置１は、カバー体２と、足載せ板３ａと左右回動軸３ｂと前後回動軸３ｃとからなる足載せ台３と、甲部内方用エアバッグ４１と足裏用エアバッグ４２と甲部外方用エアバッグ４３と足首用エアバッグ４４とからなるエアバッグ４と、送排気装置５と、前後揺動駆動機構６と、基台７とからなる。足載せ板３ａは、エアバッグ４の膨張及び収縮によって左右回動軸３ｂを中心軸として左右に揺動するとともに、前後揺動駆動機構６の駆動によって前後回動軸３ｃを中心軸として前後に揺動する。
【選択図】      図１０【図１】
0006046318.tif 000002
【図２】
0006046318.tif 000003
【図３】
0006046318.tif 000004
【図４】
0006046318.tif 000005
【図５】
0006046318.tif 000006
【図６】
0006046318.tif 000007
【図７】
0006046318.tif 000008
【図８】
0006046318.tif 000009
【図９】
0006046318.tif 000010
【図１０】
0006046318.tif 000011
【図１１】
0006046318.tif 000012
【図１２】
0006046318.tif 000013
【図１３】
0006046318.tif 000014
【図１４】
0006046318.tif 000015
【図１５】
0006046318.tif 000016
【図１６】
0006046318.tif 000017
【図１７】
0006046318.tif 000018
【図１８】
0006046318.tif 000019
【図１９】
0006046318.tif 000020